(57)【要約】【課題】形状が崩れることなく仕上がり後とほぼ同様の着用状態で採寸することにより、正確な採寸が可能となり、仕上がり後においてできるだけお直しをしなくても済むような採寸用衣服を提供する。【解決手段】着用者の身体の両側部に対応する位置においてそれぞれ縦方向の切れ込み（２）（２）を設け、それら切れ込み（２）（２）を挟む両端部（３）（４）において互いに係脱可能な一対の係止手段（５）〜（１４）を採寸部位に合わせて設けるとともに、それら係止手段（５）〜（１４）同士の採寸方向における係止位置を調節可能とし、係止手段（５）〜（１４）を係止させて切れ込み（２）を挟む前記両端部（３）（４）を連結した状態において、前記採寸部位で採寸可能とする。【選択図】  図２
2004293017.tif 000002
【特許請求の範囲】
【請求項１】
所定の基準サイズを備えた採寸用衣服であって、着用者の身体の両側部に対応する位置においてそれぞれ縦方向の切れ込みを備え、それら切れ込みを挟む両端部には互いに係脱可能な一対の係止手段が採寸部位に合わせて設けられるとともに、それら係止手段同士の採寸方向における係止位置が調節可能となっており、係止手段が係止されて切れ込みを挟む前記両端部が連結された状態において、前記採寸部位で採寸可能とされていることを特徴とする採寸用衣服。
【請求項２】
着用者の体型に合わせた状態で係止される際の前記係止手段の係止位置と、前記基準サイズにおける前記係止手段の係止位置とのずれを測定することで各採寸部位が採寸されるようになっている請求項１記載の採寸用衣服。
【請求項３】
前記採寸部位は、バスト、ウエスト、中ヒップ、ヒップ、或いは裾幅のうちの一部又は全部からなり、前記切れ込みが着用者の身体の両側部に沿うようにして各採寸部位に跨るように設けられるとともに、前記係止手段は、それぞれの切れ込みにおいて採寸部位ごとに合わせて複数設けられている請求項１又は２記載の採寸用衣服。
【請求項４】
前記係止手段はそれぞれ面ファスナーからなっており、それら面ファスナーの係合位置によって採寸部位の周寸法が調節可能となっている請求項１乃至３のいずれかに記載の採寸用衣服。
【請求項５】
前記切れ込みを挟む両端部が、前記基準サイズにおいて一定の重なり幅を有するように互いに重なり合うようになっている請求項１乃至４のいずれかに記載の採寸用衣服。
【請求項６】
横方向及び縦方向の基準線が外表面に施されており、整然とした着用状態において、前記横方向の基準線が略水平となり、且つ、前記縦方向の基準線が略垂直となるようになっている請求項１乃至５のいずれかに記載の採寸用衣服。
【発明の詳細な説明】
【０００１】
【発明の属する技術分野】
この発明は、被採寸者が着用した状態で採寸を行うための採寸用衣服に関するものである。
【０００２】
【従来の技術】
従来より、衣服の採寸を行う際に、実際に被採寸者が所定のサイズの衣服を着用した上で、被採寸者の体型に適合するようにバスト、ウエスト等の各採寸部位ごとにサイズを調節しながら採寸することは一般的に行われている。例えば、特許文献１に記載された採寸用の衣服では、正面側において分かれている右側部分と左側部分とに面ファスナーが採寸部位ごとに設けられており、それら面ファスナー同士を係合させることで左右両側が連結されるようになっている。そして、着用状態において、それぞれの採寸部位ごとに面ファスナー同士の係合位置を調節することによって、サイズを調節しながら採寸できるようになっている。
【０００３】
【特許文献１】
特許第２７８８２１１号公報
【０００４】
【発明が解決しようとする課題】
しかし、特許文献１に開示された構成では、サイズを調節するための面ファスナーが衣服の正面側に設けられているため、一定のサイズより小さくなるように調節すると、本来衣服の背面側に相当する部分が正面側へねじれてしまい、逆に一定のサイズより大きくなるように調節すると、本来正面側に相当する部分が背面側へねじれてしまう欠点があった。すなわち、そのようなねじれによって形状が崩れた状態で採寸を行うことになり、実際に仕上がる衣服とは形状が異なった状態となっているため、採寸を必ずしも正確に行うことができず、出来上がり後に再度のお直しをしなければならないことがあった。
【０００５】
また、ジャケットなどでバスト部分が開いたデザインの衣服では、その部分にサイズ調節用の面ファスナーを設けることができないため、バスト部分については採寸できない欠点があった。さらに、正面においてボタンやジッパーを備えたデザインの衣服では、ボタンを留めたりジッパーを閉じた状態で採寸することができないため、仕上がり後と同様の着用状態で採寸を行うことができず、正確に採寸できない不具合があった。
【０００６】
そこで、この発明は、上記の不具合を解消して、形状が崩れることなく仕上がり後とほぼ同様の着用状態で採寸することにより、正確な採寸が可能となり、仕上がり後においてできるだけお直しをしなくても済むような採寸用衣服を提供する。
【０００７】
【課題を解決するための手段】
上記の課題を解決するため、この発明は、所定の基準サイズを備えた採寸用衣服であって、着用者の身体の両側部に対応する位置においてそれぞれ縦方向の切れ込みを備え、それら切れ込みを挟む両端部には互いに係脱可能な一対の係止手段が採寸部位に合わせて設けられるとともに、それら係止手段同士の採寸方向における係止位置が調節可能となっており、係止手段が係止されて切れ込みを挟む前記両端部が連結された状態において、前記採寸部位で採寸可能とされていることを特徴とする。
【０００８】
また、着用者の体型に合わせた状態で係止される際の前記係止手段の係止位置と、前記基準サイズにおける前記係止手段の係止位置とのずれを測定することで各採寸部位が採寸されるようになっている。
【０００９】
さらに、前記採寸部位は、バスト、ウエスト、中ヒップ、ヒップ、或いは裾幅のうちの一部又は全部からなり、前記切れ込みが着用者の身体の両側部に沿うようにして各採寸部位に跨るように設けられるとともに、前記係止手段は、それぞれの切れ込みにおいて採寸部位ごとに合わせて複数設けられている。
【００１０】
またさらに、前記係止手段はそれぞれ面ファスナーからなっており、それら面ファスナーの係合位置によって採寸部位の周寸法が調節可能となっている。そして、前記切れ込みを挟む両端部が、前記基準サイズにおいて一定の重なり幅を有するように互いに重なり合うようになっている。
【００１１】
加えて、横方向及び縦方向の基準線が外表面に施されており、整然とした着用状態において、前記横方向の基準線が略水平となり、且つ、前記縦方向の基準線が略垂直となるようになっている。
【００１２】
【発明の実施の形態】
以下、この発明の実施形態を図面に基づいて詳細に説明する。採寸用衣服は、ジャケット、ドレス、コート、スカート、若しくはパンツ等の複数のタイプと、それぞれのタイプについて用意された複数のデザインとの組み合わせからなる複数の種類ごとに用意されている。例えば、ジャケットタイプの採寸用衣服として、図１乃至図３に示すデザインのもの（１）以外にも、異なるデザインのものが用意されており、被採寸者が好みのデザインのものを選択できるようになっている。また、採寸用衣服は、それぞれの種類について、９号、１１号、１３号等の各基準サイズごとに用意されている。
【００１３】
そして、先ず、基本的な採寸部位について通常の採寸を行った後、上記のように用意された採寸用衣服の中から、被採寸者の所望する種類と体型に応じた基準サイズとからなる採寸用衣服を選択し、その選択した採寸用衣服を被採寸者に着用させた状態で各採寸部位を採寸する。このように、採寸用衣服の着用前と着用後の２回にわたって採寸を行うため、より正確な採寸が可能となっている。
【００１４】
以下、図１乃至図５に基づいて、この発明の一実施形態に係るジャケットタイプの採寸用衣服（１）を用いて採寸を行う場合について説明する。この採寸用ジャケット（１）は、９号、１１号、１３号等の号別に用意されており、肩幅、袖丈、着丈、バスト、ウエスト、中ヒップ、裾幅等の各部位について所定の基準サイズを備えている。
【００１５】
また、採寸用ジャケット（１）は、着用者の身体の両側部に対応する位置においてそれぞれ縦方向の切れ込み（２）（２）を備えている。図２及び図３では、袖部分（１８）を上に持ち上げた状態において、一方の切れ込み（２）の周辺部を拡大して示している。図に示すように、切れ込み（２）は、着用者の身体の両側部に沿うようにして、ジャケット（１）の裾から脇部分にかけて設けられている。すなわち、切れ込み（２）（２）が、例えばバスト、ウエスト、中ヒップ、及び裾幅のそれぞれの採寸部位に跨るように設けられている。
【００１６】
さらに、それら切れ込み（２）（２）を挟む両端部（３）（４）には、互いに係脱可能な一対の係止手段（５）〜（１４）が上記採寸部位に合わせて設けられている。ここで、係止手段（５）〜（１４）は、それぞれ例えば面ファスナーからなっており、それぞれの切れ込み（２）（２）において、採寸部位ごとに合わせて複数設けられている。
【００１７】
すなわち、それぞれの採寸部位に対応する位置において、切れ込み（２）を挟む正面側の端部（３）裏面と、同じく切れ込み（２）を挟む背面側の端部（４）表面とに設けられる面ファスナー（５）〜（１４）が対となって、それぞれバスト採寸用（５）（１０）、ウエスト採寸用（７）（１２）、中ヒップ採寸用（８）（１３）、裾幅採寸用（９）（１４）としての役割を果たしている。なお、（６）（１１）の面ファスナーは、バスト採寸用（５）（１０）とウエスト採寸用（７）（１２）の面ファスナー間において、着用した際に切れ込み（２）に隙間が生じないように調整するために用いられるものである。
【００１８】
そして、それら対となる面ファスナー（５）〜（１４）同士が係合されることで、切れ込み（２）を挟む前記両端部（３）（４）が連結されるようになっている。また、面ファスナー（５）〜（１４）同士の係合位置は、採寸方向において調節可能となっている。すなわち、切れ込み（２）を挟む背面側端部（４）の面ファスナー（１０）〜（１４）は、周方向において一定の幅を備えており、この背面側端部（４）の面ファスナー（１０）〜（１４）に対して、正面側端部（３）の面ファスナー（５）〜（９）が係合する際の係合位置によって、採寸部位の周寸法が調節可能となっている。
【００１９】
例えば、正面側端部（３）の面ファスナー（５）〜（９）を、背面側端部（４）の面ファスナー（１０）〜（１４）に対して、その周方向における正面寄りの位置に係合させると、その採寸部位におけるサイズが大きくなるように調節でき、逆に、周方向における背面寄りの位置に係合させると、その採寸部位におけるサイズが小さくなるように調節できる。
【００２０】
そして、採寸の際には、それぞれの採寸部位において、着用者の体型に合わせるようにして面ファスナー（５）〜（１４）同士を係合させ、その状態において各採寸部位の採寸値を求めるようになっている。
【００２１】
また、切れ込み（２）を挟む両端部（３）（４）は、基準サイズにおいて一定の重なり幅を有するように互いに重なり合うようになっている。従って、面ファスナー（５）〜（１４）同士の係合位置を上記のように調節する際において、採寸用ジャケット（１）の切れ込み（２）（２）部分に隙間が生じることを防ぐことができ、より仕上がり後に近い着心地と見栄えとを保持した状態で採寸を行うことができる。
【００２２】
さらに、ジャケット（１）の外表面には、胴体部分においては例えばバスト部の基準線（１５ａ）及び例えばウエスト部の基準線（１５ｂ）が、袖部分（１８）においては例えば脇下部の基準線（１５ｃ）が、それぞれ横方向に設けられている。また、ジャケット（１）外表面には、縦方向の基準線が、例えば正面のボタンの位置（１６ａ）及び例えば両脇付近の位置（１６ｂ）（１６ｂ）においてそれぞれ設けられている。そして、整然とした着用状態において、横方向の基準線（１５ａ）〜（１５ｃ）が略水平となり、縦方向の基準線（１６ａ）（１６ｂ）が略垂直となるようになっている。これら基準線（１５）（１６）は、小刻みに、且つ、大部分が表面側に露出するようにして縫い込まれた縫い糸からなっており、目立つように服地と色の異なるものが用いられている。
【００２３】
従って、着用状態において、それら基準線（１５）（１６）が曲がったり傾いたりしていると、ジャケット（１）を歪んだりねじれたりした状態で着用していることが一目で分かる。ゆえに、正しい状態で着用していることを確認しながら採寸作業を行うことができるため、採寸がより正確に行われることになる。また、切れ込み（２）（２）を挟む背面側の端部（４）には、その表面に備えたそれぞれの面ファスナー（１０）〜（１４）の略中央を通る測定基準線（１７）が縦方向に設けられており、それぞれの面ファスナー（１０）〜（１４）の中央がどこであるか一目で分かるようになっている。
【００２４】
図４では、それぞれの採寸部位における面ファスナー（５）〜（１４）同士の係合位置を模式的に示している。図４（ａ）の状態では、正面側端部（３）の面ファスナー（５）〜（９）が、背面側端部（４）の面ファスナー（１０）〜（１４）の略中央に係合されており、この状態で係合されたときのサイズが基準サイズとされている。そして、着用者の体型に合わせるようにして、切れ込み（２）を挟む両端部（３）（４）の面ファスナー（５）〜（１４）同士を係合させたときに、図４（ｂ）又は（ｃ）で示すように、正面側端部（３）の面ファスナー（５）〜（９）が、背面側端部（４）の面ファスナー（１０）〜（１４）の中央からずれた位置に係合される場合は、その係合位置と、図４（ａ）に示す基準サイズにおける係合位置とのずれを例えば目視で測定する。
【００２５】
この測定により、基準サイズに対して＋１ｃｍ、−１ｃｍなど、ｃｍ単位で採寸値を求める。例えば、図４（ｂ）では、正面側端部（３）の面ファスナー（５）〜（９）が、背面側端部（４）の面ファスナー（１０）〜（１４）の中央よりおよそ１ｃｍ正面寄りの位置で係合された状態を示しており、その状態における採寸値は＋１ｃｍとなる。逆に、図４（ｃ）では、正面側端部（３）の面ファスナー（５）〜（９）が、背面側端部（４）の面ファスナー（１０）〜（１４）の中央よりおよそ１ｃｍ背面寄りの位置で係合された状態を示しており、その状態における採寸値は−１ｃｍとなる。
【００２６】
またさらに、肩幅、袖丈、着丈の採寸については、被採寸者が採寸用ジャケット（１）を着用した状態において、基準サイズに対してどれくらい増減するかを、そのときの着心地と見栄えとから判断し、バスト等の採寸部位と同様にｃｍ単位で採寸値を求める。
【００２７】
以上のように測定された採寸値を記入する採寸伝票として、例えば図５に示す図（ａ）及び表（ｂ）が用いられる。そして、これら図５（ａ）に示す図中の採寸値記入部（４１）と、図５（ｂ）に示す表中の採寸値記入欄（４４）（４５）とに、各採寸部位の採寸値をそれぞれ記入する。また、図（ａ）と表（ｂ）とのそれぞれにおける種類・基準サイズ記入欄（４０）（４３）には、採寸用衣服のタイプとのデザインとの組み合わせからなる種類と、基準サイズとを示す記号や文字等を記入する。さらに、各採寸部位の基準サイズに対して、採寸値を加算又は減算することにより求める上がり寸法を、図（ａ）中の上がり寸法記入部（４２）の空白欄と、表（ｂ）中の上がり寸法記入欄（４６）とにそれぞれ記入する。
【００２８】
例えば、ウエスト部分について、予め定められた基準サイズが６５ｃｍ、採寸値が＋１ｃｍである場合は、図５（ａ）に示す図中のウエストの採寸値記入部（４１）において、＋と−のうち＋の方を丸印で囲み、空白欄に１と記入する。さらに、図５（ｂ）に示す表中の該当するウエストの採寸値記入欄（４４）（４５）のうち予め＋と書き込まれた方の欄（４４）において、＋を丸印で囲むとともに＋の右側に１と記入する。そして、基準サイズである６５に採寸値１を加算することにより上がり寸法として求められる６６を、図５（ａ）に示す図中の上がり寸法記入部（４２）の空白欄と、図５（ｂ）に示す表中の上がり寸法記入欄（４６）とに記入する。
【００２９】
以上のように、この発明の採寸用ジャケット（１）は、採寸方向の寸法を調節するための切れ込み（２）（２）及び係止手段（５）〜（１４）が、着用者の身体の両側部に対応する位置に設けられているため、寸法を調節しながら採寸する際において、ジャケット（１）の正面部分が極端に背面側へねじれたり、逆に、衣服の背面部分が極端に正面側へねじれたりすることがない。
【００３０】
従って、着用状態において採寸用ジャケット（１）の形状が崩れることがなく、採寸時のジャケット（１）と仕上がり後のジャケットとがほぼ同形状となっているため、より正確な採寸が可能となり、仕上がり後に再度のお直しが必要となる不具合を極力避けることができる。
【００３１】
また、前記切れ込み（２）（２）及び面ファスナー（５）〜（１４）が、ジャケット（１）の正面側でなく側部に設けられているため、図で示すようなバスト部分が開いたデザインのものであっても、そのバスト部分についても採寸できるようになっている。さらに、図で示すような正面においてボタン（２０）を備えたデザインのジャケット（１）であっても、ボタン（２０）を留めた状態で採寸することが可能であり、仕上がり後とほぼ同様の着用状態で採寸を行うことができるため、正確な採寸が可能となっている。
【００３２】
また、被採寸者に採寸用衣服を着用させた状態で、係止手段（５）〜（１４）の係止位置を調節して基準サイズとのずれを測定するだけで採寸できるので、熟練者でなくても簡単に採寸できるようになっている。さらに、係止手段（５）〜（１４）が面ファスナーからなっており、構造が簡単であるため製造コストは低廉であり、採寸時の操作性にも優れている。
【００３３】
次に、図６乃至図９に基づいて、この発明の別の実施形態に係るスカートタイプの採寸用衣服（２１）を用いて採寸を行う場合について説明する。この採寸用スカート（２１）は、ジャケット（１）と同様に、複数の号別に用意されており、スカート丈、ウエスト、中ヒップ、ヒップ等の各部位について所定の基準サイズを備えている。
【００３４】
また、採寸用スカート（２１）も、ジャケット（１）と同様、着用者の身体の両側部に対応する位置においてそれぞれ縦方向の切れ込み（２２）（２２）を備えている。これら切れ込み（２２）（２２）は、着用者の身体の両側部に沿うようにして、スカート（２１）の上端からヒップの高さよりやや下部にかけて設けられている。すなわち、切れ込み（２２）（２２）が、例えばウエスト、中ヒップ、及びヒップのそれぞれの採寸部位に跨るように設けられている。
【００３５】
さらに、それら切れ込み（２２）（２２）を挟む両端部（２３）（２４）…には、採寸用ジャケット（１）と同様に、互いに係脱可能な一対の係止手段（２５）〜（３０）が各採寸部位に合わせて設けられており、それぞれ例えば面ファスナーからなっている。そして、それぞれの採寸部位に対応する位置において、切れ込み（２２）を挟む正面側の端部（２３）裏面と、同じく切れ込み（２２）を挟む背面側の端部（２４）表面とに設けられる面ファスナー（２５）〜（３０）が対となって、それぞれウエスト採寸用（２５）（２８）、中ヒップ採寸用（２６）（２９）、ヒップ採寸用（２７）（３０）としての役割を果たしている。
【００３６】
これら面ファスナー（２５）〜（３０）の構成については、ジャケットタイプ（１）と同様であり、対となる面ファスナー（２５）〜（３０）同士の係合位置について、着用者の体型に合わせた状態において係合される位置と、基準サイズにおいて係合される位置とのずれを例えば目視で測定して、採寸値を求める。
【００３７】
また、ジャケットタイプ（１）と同様、切れ込み（２２）を挟む両端部（２３）（２４）は、基準サイズにおいて一定の重なり幅を有するように互いに重なり合うようになっている。さらに、スカート（２１）の外表面には、例えば中ヒップ部の基準線（１５ｄ）及び例えばヒップ部の基準線（１５ｅ）がそれぞれ横方向に設けられるとともに、例えば正面略中央には縦方向の基準線（１６）が設けられている。そして、整然とした着用状態において、横方向の基準線（１５ｄ）（１５ｅ）が略水平となり、縦方向の基準線（１６）が略垂直となるようになっている。
【００３８】
またさらに、切れ込み（２２）を挟む背面側の端部（２４）において、その表面に備えたそれぞれの面ファスナー（２８）〜（３０）の略中央を通る基準線（１７）が縦方向に設けられている。なお、スカート丈の採寸については、被採寸者が採寸用スカート（２１）を着用した状態において、基準サイズに対してどれくらい増減するかを、そのときの着心地と見栄えとから判断して採寸値を求める。そして、ジャケット（１）と同様に、図９（ａ）に示す図と、図９（ｂ）に示す表とにおける所定箇所（４０）〜（４６）に、各採寸部位の採寸値等を記入する。
【００３９】
スカートタイプの採寸用衣服（２１）におけるその他の構成及び効果は、ジャケットタイプの採寸用衣服（１）と同様であり、図において、採寸用ジャケット（１）と同様の機能を有する部材については同符号を付してある。また、この発明に係る採寸用衣服は、これらジャケット（１）、スカート（２１）以外にも、ドレス、コート、パンツ等のタイプであっても良い。
【００４０】
なお、ドレスタイプの採寸用衣服では、バスト、ウエスト、中ヒップ、及びヒップが、コートタイプの採寸用衣服では、バスト、ウエスト、中ヒップ、ヒップ、及び裾幅が、パンツタイプの採寸用衣服では、ウエスト、中ヒップ、ヒップ、及び裾幅が、それぞれ上記と同様の構成からなる係止手段を用いて採寸される採寸部位となる。
【００４１】
この発明は、上記実施形態に限定されるものではなく、この発明の範囲内で上記実施形態に多くの修正及び変更を加え得ることは勿論である。
【００４２】
【発明の効果】
以上の説明から明らかなように、この発明の採寸用衣服は、採寸方向の寸法を調節するための切れ込み及び係止手段が、着用者の身体の両側部に対応する位置に設けられているため、寸法を調節しながら採寸する際において、衣服の正面部分が極端に背面側へねじれたり、逆に、衣服の背面部分が極端に正面側へねじれたりすることがない。
【００４３】
すなわち、着用状態において採寸用衣服の形状が崩れることがなく、採寸時の採寸用衣服と仕上がり後の衣服とがほぼ同形状となっているため、より正確な採寸が可能となり、仕上がり後に再度のお直しが必要となる不具合を極力避けることができる。
【００４４】
また、前記切れ込み及び係止手段が、衣服の正面側でなく側部に設けられているため、ジャケットなどでバスト部分が開いたデザインの衣服であっても、そのバスト部分についても採寸できるようになっている。さらに、正面においてボタンやジッパーを備えたデザインの衣服であっても、ボタンを留めたりジッパーを閉じた状態で採寸することが可能であり、仕上がり後とほぼ同様の着用状態で採寸を行うことができるため、正確な採寸が可能となっている。
【００４５】
また、被採寸者に採寸用衣服を着用させた状態で、係止手段の係止位置を調節して基準サイズとのずれを測定するだけで採寸できるので、熟練者でなくても簡単に採寸できるようになっている。さらに、係止手段が面ファスナーからなっており、構造が簡単であるため製造コストは低廉であり、採寸時の操作性にも優れている。
【００４６】
またさらに、基準サイズにおいて、切れ込みを挟む両端部が互いに重なり合うようになっているため、採寸時において、切れ込み部分に隙間が生じることを防ぐことができ、より仕上がり後に近い着心地と見栄えとを保持した状態で採寸を行うことができる。
【００４７】
加えて、外表面に施された基準線が、整然とした着用状態では略水平又は略垂直になるため、それら基準線が曲がったり傾いたりしていると、採寸用衣服を歪んだりねじれたりした状態で着用していることが一目で分かる。ゆえに、正しい状態で着用していることを確認しながら採寸作業を行うことができるため、採寸がより正確に行われることになる。
【図面の簡単な説明】
【図１】ジャケットタイプの採寸用衣服を示す正面図である。
【図２】同じくその要部拡大図である。
【図３】同じく要部拡大図である。
【図４】面ファスナーの係合状態を示す模式図である。
【図５】採寸用ジャケットの採寸伝票の一例を示す図である。
【図６】スカートタイプの採寸用衣服を示す斜視図である。
【図７】同じくその要部を示す拡大正面図である。
【図８】同じく要部拡大図である。
【図９】採寸用スカートの採寸伝票の一例を示す図である。
【符号の説明】
（１）（２１）  採寸用衣服
（２）（２２）  切れ込み
（３）（４）  切れ込みを挟む両端部
（５）〜（１４），（２５）〜（３０）  係止手段（面ファスナー）
（１５）（１６）  基準線
【図１】
2004293017.tif 000003
【図２】
2004293017.tif 000004
【図３】
2004293017.tif 000005
【図４】
2004293017.tif 000006
【図５】
2004293017.tif 000007
【図６】
2004293017.tif 000008
【図７】
2004293017.tif 000009
【図８】
2004293017.tif 000010
【図９】
2004293017.tif 000011